(57)【要約】【課題】演出用の回転警告灯を複数設け、よりバリエーションのある演出を実現可能な遊技機用演出表示装置を提供する。【解決手段】回転体７０に取り付けられた複数の回転警告灯６０の少なくとも防風部６３が遊技機の表示窓３４から視認可能となるよう設置し、回転体７０を垂直軸を中心に回転させることにより、各々異なる色彩に形成した防風部６３が表示窓３４から視認可能となる。視認可能となっている回転警告灯６０について、光源６５の発光及び回転反射板６４の回転を行わせる。    【選択図】図１
2009142523.tif 000002
【特許請求の範囲】
【請求項１】
遊技者と対峙する正面側に表示窓を有する遊技機に装着される演出表示装置であって、
遊技機内部に、垂直軸を中心に回転可能に支持される回転体と、
前記回転体に固定される複数の回転警告灯と、
前記回転体を回転させるための回転駆動装置と、
前記回転体の現在位置を検知するための回転検知部とを少なくとも備え、
前記回転警告灯は、反射板駆動装置の駆動によって光源の周囲を旋回可能に形成された回転反射板と、前記光源及び回転反射板を内部に位置させて光源が発する照射光を外部に照射可能な透光性を有する防風部を少なくとも備えているとともに、前記防風部を前記回転体の上面又は下面から突出させて、回転体の回転軸を中心とする同一円上に配置され、
前記回転体は、前記回転警告灯の少なくとも防風部が、遊技機の表示窓から視認可能となるよう設置され、
前記複数の回転警告灯の防風部は、各々異なる色彩を有し、
前記回転駆動装置を駆動させ前記回転検知部の検知に基づき前記回転体を回転させることにより、前記回転警告灯の位置を変動させて、遊技機の表示窓を通して視認可能な防風部の色彩を変化させることができるとともに、
少なくとも前記表示窓から防風部が視認可能となっている回転警告灯について、前記光源の発光及び前記回転反射板の回転を行わせることを可能とした演出表示装置。
【請求項２】
前記回転体の上面又は下面に、前記回転体の上部又は下部空間を中心部から放射状に仕切られた複数のスペースに分ける仕切り部材を設け、
前記回転警告灯は、前記仕切り部材によって仕切られたスペース内に配置されることを特徴とする請求項１記載の演出表示装置。
【請求項３】
前記複数の回転警告灯の各回転反射板は、単一の反射板駆動装置によって回転可能に形成されていることを特徴とする請求項１又は２記載の演出表示装置。
【発明の詳細な説明】
【技術分野】
【０００１】
この発明は、遊技機に装着される演出用表示装置、詳しくは、回転警告灯を用いた演出用表示装置に関するものである。
【背景技術】
【０００２】
従来より、スロットマシンなどの遊技機においては、前扉の上部にアーチランプや液晶などが取り付けられており、これらを用いて種々の演出が行われるように形成されている。そして、特許文献１に示すように、遊技機の演出用デバイスとして回転警告灯を用いたものが知られている。
【特許文献１】特開２００４−７３３２５号公報
【発明の開示】
【発明が解決しようとする課題】
【０００３】
しかし、従来は、単一の回転警告灯しか設けられておらず、使用状況が限定されてしまうのに加え、回転警告灯のランプを光らせたり回転反射板を回したりという、単純な演出しか行われていなかった。
そこで、本願発明は、演出用の回転警告灯を複数設け、よりバリエーションのある演出を実現可能な遊技機用演出表示装置を提供することを目的とする。
【課題を解決するための手段】
【０００４】
請求項に記載された発明は、上記した各目的を達成するためになされたものであり、本発明の特徴点を図面に示した発明の実施の形態を用いて、以下に説明する。
なお、括弧内の符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、遊技者と対峙する正面側に表示窓（回転灯表示窓34）を有する遊技機（スロットマシンＳ）に装着される演出表示装置（回転表示ユニット７）であって、遊技機内部に、垂直軸を中心に回転可能に支持される回転体（ユニット本体70）と、前記回転体(70)に固定される複数の回転警告灯(60)と、前記回転体(70)を回転させるための回転駆動装置（ユニット回転装置80）と、前記回転体(70)の現在位置を検知するための回転検知部（検知溝72A、インデックスセンサ50）とを少なくとも備えている。
【０００５】
本発明に係る演出表示装置(7)は、遊技場に設置される遊技機、例えばスロットマシンやそれに類する遊技機に使用されるものである。ここで、前記遊技機(S)は、筐体(1)や筐体(1)の開口部を開閉自在な前扉(3)を備えており、筐体(1)の内部にリールユニット(2)や制御装置(6)を備えていてもよい。また、前記表示窓(34)は、遊技機(S)の正面側に形成される開口部又は透明部分であって、筐体(1)に設けてあっても、前扉(3)に設けてあってもよい。
前記回転体(70)は、例えば円盤状の板部材とすることができるが、遊技機内部に回転可能に支持されていれば、形状は問わない。
【０００６】
前記回転駆動装置(80)は、回転体(70)に設けられたギア（ユニット回転ギア71）と噛合する駆動ギア(82)を有する駆動モータ(81)とすることができる。あるいは、ベルトやチェーンを用いて回転体(70)を回転させるものであってもよい。
前記「回転検知部」は、回転体(70)に設けられた検知溝(72A)や突起などの被検知部と、これを検知可能な遮光センサなどとすることができる。センサ及び被検知部は複数でも単数でもよい。
また、前記回転警告灯(60)は、反射板駆動装置（反射板駆動モータ75）の駆動によって光源（電球65）の周囲を旋回可能に形成された回転反射板(64)と、前記光源(65)及び回転反射板(64)を内部に位置させて光源(65)が発する照射光を外部に照射可能な透光性を有する防風部（レンズ63）を少なくとも備えているとともに、前記防風部(63)を前記回転体(70)の上面又は下面から突出させて、回転体(70)の回転軸を中心とする同一円上に配置されている。一方、前記回転体(70)は、前記回転警告灯(60)の少なくとも防風部(63)が、遊技機(S)の表示窓(34)から視認可能となるよう設置され、前記複数の回転警告灯(60)の防風部(63)は、各々異なる色彩を有している。
【０００７】
ここで、回転警告灯(60)としては、前記反射板駆動装置(75)のモータ軸の回転を回転反射板(64)に伝達するための伝達手段（例えば反射板回転ギア69）を有していてもよい。前記防風部(63)は、椀型の着色カバーとすることができ、例えば回転体(70)に形成されたネジ部に螺合させて取り付け取り外しができるようになっているものとすることができる。あるいは回転体(70)の下面に固定されていてもよい。なお、前記「光源」は、照射光を発する発光体であれば、電球(65)には限られない。
また、本発明では、反射板駆動装置(75)を複数の回転警告灯(60)のそれぞれに設けてもよいし、単一の反射板駆動装置(75)で複数の回転警告灯(60)の回転反射板(64)が回転可能となるよう形成してもよい。
【０００８】
なお、前記防風部(63)の色彩は、複数の回転警告灯(60)のそれぞれがすべて異なっている必要はなく、回転警告灯(60)の数が多い場合には、同色の防風部(63)を有する回転警告灯(60)が存在しても構わない。
そして、本発明は、前記回転駆動装置(80)を駆動させ前記回転検知部(72A,50)の検知に基づき前記回転体(70)を回転させることにより、前記回転警告灯(60)の位置を変動させて、遊技機(S)の表示窓(34)を通して視認可能な防風部(73)の色彩を変化させることができるとともに、少なくとも前記表示窓(34)から防風部(73)が視認可能となっている回転警告灯(60)について、前記光源(65)の発光及び前記回転反射板(64)の回転を行わせることが可能であることを特徴とする。
【０００９】
（作用）
本発明によれば、まず、回転体(70)を回転させることにより、色彩の異なる防風部(63)を遊技機(S)の表示窓(34)から表示させることができる。この場合、表示窓(34)から視認可能な防風部(63)は、一つには限られない。回転体(70)に設けられる回転警告灯(60)の個数や表示窓(34)の大きさにより、複数の防風部(63)が表示窓(34)から表示される場合もある。またこの場合、同時に複数視認可能となっている防風部(63)の色彩がそれぞれ異なるようにすることもできるし、同色の防風部(63)が複数視認可能となるように設定することもできる。
【００１０】
また、表示窓(34)から防風部(63)が視認可能となっている回転警告灯(60)について、光源(65)を点灯させつつ回転反射板(64)を回転させる作動、光源(65)を消灯したまま回転反射板(64)のみ回転させる作動を行わせることができる。
なお、上記したような回転体(70)及び回転警告灯(60)の作動制御は、遊技機(S)に設けられた制御装置(6)からの出力信号に基づいて行われる。制御装置(6)では、遊技機の状態（例えば内部当たり状態や特定の遊技区間）に応じて適宜作動パターンを選択し、場合によっては遊技機(S)に設けられた他の演出表示装置（例えばスピーカ(35)）の表示との組み合わせて、本発明に係る演出表示装置(7)を作動させることにより、当選や入賞の報知とすることができる。
【００１１】
（請求項２）
（特徴点）
請求項２記載の発明は、上記した請求項１記載の特徴点に加え、次の点を特徴とする。
すなわち、請求項２記載の発明は、前記回転体(70)の上面又は下面に、前記回転体(70)の上部又は下部空間を中心部から放射状に仕切られた複数のスペースに分ける仕切り部材(73)を設け、前記回転警告灯(60)は、前記仕切り部材(73)によって仕切られたスペース内に配置されることを特徴とする。
前記仕切り部材(73)は、回転体(70)の上面に突設されたあるいは回転体(70)の下面から垂下して設けられた板部材とすることができ、回転体(70)の上部又は下部空間を放射状に区切るものである。仕切り部材(73)により仕切られるスペースは等間隔であるのが好ましいが、等間隔でなくてもよい。
【００１２】
また、回転警告灯(60)は、仕切り部材(73)によって仕切られたスペース内に１個ずつ配置されるのが好ましいが、必ずしも全てのスペースに設置する必要はない。例えば、４つに仕切られたスペースのうち、３つのスペースに回転警告灯(60)を配置し、残りのスペースに反射板駆動装置(75)を配置してもよい。
（請求項３）
（特徴点）
請求項３記載の発明は、上記した請求項１又は２記載の特徴点に加え、次の点を特徴とする。
【００１３】
すなわち、請求項３記載の発明は、前記複数の回転警告灯(60)の各回転反射板(64)は、単一の反射板駆動装置(75)によって回転可能に形成されていることを特徴とする。
本発明の具体的構成の一例としては、反射板駆動装置(75)の駆動軸に設けられた駆動ギア(76)に複数の連結ギア(77)を噛合させ、各連結ギア(77)をそれぞれの回転反射板(64)に設けられた反射板回転ギア(69)と噛合させたものとすることができる。
また、本発明は、複数の回転反射板(64)を単一の反射板駆動装置(75)によって同時に（一斉に）回転させる場合と、個々別々に回転させる場合の双方を含む。例えば、上記した構成では、単一の反射板駆動装置(75)によって複数の回転反射板(64)が同時に回転する。一方、上記構成において、連結ギア(77)を駆動ギア(76)又は反射板回転ギア(69)のいずれか一方又は双方から離隔する方向に移動（垂直方向にスライド、水平方向にスライド又は回動）可能に形成し、駆動ギア(76)の回転が回転させる回転反射板(64)の反射板回転ギア(69)にのみ伝達されるように形成すれば、単一の反射板駆動装置(75)によって複数の回転反射板(64)のうちいずれか１つを回転させることができる。
【００１４】
本発明によれば、演出表示装置(7)の軽量化及びコスト削減を図ることができる。
【発明の効果】
【００１５】
本発明は、以上のように構成されているので、以下のような効果を奏する。
すなわち、請求項１記載の発明によれば、回転警告灯を用いて豊富な表示パターンを実現可能な演出表示装置を提供することができ、請求項２記載の発明によれば、複数の回転警告灯の照射光が混ざるのを防ぐことができる。さらに、請求項３記載の発明によれば、かかる表示を低コストで実現可能な演出表示装置を提供することができる。
【発明を実施するための最良の形態】
【００１６】
本発明を実施するための最良の形態を、遊技機としてスロットマシンを例に、図面に基づき説明する。
（図面の説明）
図１乃至図７は、本発明の実施の形態を示すものである。
図１はスロットマシンＳの外観正面図、図２はスロットマシンＳの縦断面図、図３乃至図５は回転表示ユニット７を示す図、図６及び図７は回転警告灯60を示す図である。
（スロットマシンＳ）
本実施の形態におけるスロットマシンＳは、図１に示すように、正面側に開口する筐体１と、筐体１の正面開口を開閉可能に塞ぐ前扉３とから構成されている。
【００１７】
前記筐体１の内部には、表面に複数の図柄が表示された回転リール20を備えるリールユニット２と、ホッパーユニット５と、スロットマシンＳの作動を制御するための制御装置６（図２参照）が設けられている。リールユニット２は、スロットマシンＳの主たる遊技装置であって、特に図示しない支持枠に駆動モータを固定し、駆動モータの駆動軸に回転リール20を軸着したものである。ホッパーユニット５はメダルを貯留するとともに入賞時等にはメダルを払い出す払い出し装置である。
前扉３は、筐体１のヒンジに回転自在に軸支された板状の扉であり、図１に示すように、上側には種々の演出表示を行うための上部表示部3Aが設けられているとともに、高さ方向略中央部は操作部40となっており、操作部40と上部表示部3Aの間には正面パネル30が設けられている。この正面パネル30には、回転リール20の図柄を視認可能な図柄表示窓31が形成されている。また、前扉３の下部は、ホッパーユニット５から払い出されるメダルを貯留するための下皿3Cが設けられており、前記操作部40と下皿3Cとの間には、下パネル3Bが設けられている。
【００１８】
前記上部表示部3Aは、上パネル32が設けられているとともに、上パネル32の周囲にはランプ33が設けられている。また、上パネル32の下側隅角部には、スピーカ35が設けられている。そして、上パネル32の略中央部には、上パネル32の奥側に配置された回転表示ユニット７の有する回転警告灯60を正面側から視認可能な回転灯表示窓34が形成されている。
前記操作部40は、正面パネル30よりも手前側に張り出して形成されたカウンター状の段部であって、操作部40の上面右端にはメダル投入口42が設けられ、上面左側にはベットスイッチ41、正面側にはスタートスイッチ43、精算スイッチ44及びストップスイッチ45が設けられている。また、前記メダル投入口42の下方であって前扉３の裏側には、投入されたメダルを誘導しながらメダルの正偽を判断するためのメダルセレクター４が設けられている。ここで、ベットスイッチ41は、クレジットとして貯留扱いになっているメダルをメダル投入に代えるためのものであり、スタートスイッチ43及びストップスイッチ35は、回転リール20の回転を開始及び停止させるためのものである。また、精算スイッチ44は、クレジットメダルを払い戻すためのものである。
【００１９】
（スロットマシンＳの作動）
上記構成を有するスロットマシンＳは、メダルの投入若しくはベットスイッチ41の押下を条件に、または、「再遊技（Replay）」時には前遊技から所定時間経過を条件に、操作可能なスタートスイッチ43を操作すると、リールユニット２が駆動し、３個の回転リール20が回転を開始する。その後、ストップスイッチ45の１個を操作すると、当該対応する回転リール20の回転が停止する。そして、ストップスイッチ45を３個全て操作し終わると、３個の回転リール20の回転が全て停止する。このとき、図柄表示窓31の入賞有効ライン上に、予め設定された図柄が停止すると、ホッパーユニット５を介して所定枚数のメダルが払い出される。なお、メダルを払い出す代わりに、クレジットしても良い。
【００２０】
当選には、入賞により遊技メダルの払い出しを伴い、遊技者に利益を付与する小役当選と、この小役当選よりもさらに大きな利益を遊技者に付与する特別当選と、遊技メダルの払い出しは無いが、遊技メダルを新たに投入することなく再度の遊技を行うことができる「再遊技（Replay）」とを備えている。そして、その抽選結果がいずれかの役に当選となった場合、その当選に対応した当選フラグが成立する。そして、抽選結果が特別当選である場合に、特別当選フラグが成立し、この特別当選フラグ成立中に、リールユニット２の回転リール20の停止図柄の組み合わせが、予め定められた所定の特別当選図柄（例えば、入賞有効ライン上に「７」が三個揃うもの）と一致したことを条件に入賞し、遊技者に有利な特別遊技を行わせるように形成されている。
【００２１】
一方、抽選により特別当選フラグが成立したが、回転リール20の停止図柄の組み合わせが特別当選図柄と一致していない場合には、それ以後の遊技に特別当選フラグ成立の権利が持ち越されるように設定されている。なお、小役及びリプレイの当選フラグは、当選フラグが成立した遊技で入賞させられない場合、当選フラグ成立の権利の次の遊技への持ち越しはない。
また、いずれかの当選フラグが成立中に、対応する当選図柄を入賞有効ライン上に揃えることができるか否かは、回転リール20の回転速度が一定の場合、ストップスイッチ45のタイミングによるものである。具体的には、ストップスイッチ45を操作した後、１９０ｍｓ以内に回転リール20が停止するように設定されているため、ストップスイッチ45を操作した後、そのまま停止させるか、或いは１９０ｍｓ以内に停止可能な回転リール20の円周上の引き込み可能図柄、例えば停止図柄から連続する４個の引き込み可能図柄の中に、対応する当選図柄が含まれているような場合には、停止するまでの時間を遅らせて、回転リール20は入賞有効ライン上にその当選図柄を引き込んで停止する。一方、かかる４個の引き込み可能図柄の中に、対応する当選図柄が含まれていないような場合には、入賞有効ライン上にその当選図柄を引き込んで停止することができない。
【００２２】
一方、通常遊技において、例えば「７」等の図柄が入賞有効ライン上に三個揃うと、ＢＢゲームが開始される。ＢＢゲームに移行すると、通常遊技と同様に最大３枚のメダルの投入によって開始され、３つの回転リールの回転を各々停止させた際に、入賞有効ライン上に当選図柄が揃っているか否かによって、メダルの払い出しが行われるものである。したがって、ＢＢゲーム中では、通常遊技と同様に小役を含めた抽選が毎回行われるものである。ただ、このＢＢゲーム中にＲＢゲームに移行するための特定当選図柄が入賞有効ライン上に揃った場合には、その後ＲＢゲームに移行するものである。
ＲＢゲームに移行すると、メダルが１枚投入となり、回転リール20の所定の図柄が図柄表示窓31のセンターライン上に揃った場合に入賞となる特定当選遊技が行われるものである。そして、ＲＢゲームでは、入賞するか否かの特定当選遊技が最大１２回行えるものであり、そのうち、最大８回の入賞が可能である。すなわち、最大８回の入賞するか、或いは最大１２回の特定当選遊技の終了により、ＲＢゲームは終了するものである。
【００２３】
なお、ＢＢゲーム中は、ＲＢゲームが終了した後は、また前述したような通常遊技と同様な抽選及び制御が行われ、ＲＢゲームと通常遊技とが交互に繰り返されるものである。そして、ＢＢゲームは、一定枚数のメダル払い出し終了により終了する。
（回転表示ユニット７）
次に、回転表示ユニット７について詳述する。
回転表示ユニット７は、図２に示すように、前扉３の上面裏側に、水平方向に回転可能に支持固定された演出表示装置であって、図３及び図４に示すように、３個の回転警告灯60を備える円盤状のユニット本体70と、このユニット本体70を回転させるためのユニット回転装置80とから構成されている。
【００２４】
（回転警告灯60）
回転警告灯60は、図６及び図７に示すように、ユニット本体70の下方に固定される発光表示装置であって、レンズ63と、レンズ63の内部に収納される電球65及び回転反射板64を有している。ここで、レンズ63は、内蔵される電球65の光を透過させる断面略Ｕ字型の着色カバーである。３個の回転警告灯60のレンズ63の色はそれぞれ異なっており、本実施の形態では、赤色、黄色、青色のレンズ63を有する回転警告灯60（60R,60Y,60B,図５(Ｂ)参照）が設けられている。
前記レンズ63は、図７に示すように、上端部外周にネジが形成されており、後述するユニット本体70の下面板70Bに設けられた開口部にねじ込んで固定される。
【００２５】
前記電球65は、図６に示すように、吊り下げ部材68を介してユニット本体70に固定されたソケット67に取り付けられており、前記回転反射板64は、その台座部64Aが、反射板固定部材66に固定されている。反射板固定部材66は、図６に示すように、前記吊り下げ部材68の下方に形成されたフランジ部68Aに回転可能に支持されており、この反射板固定部材66の上側周囲には、反射板回転ギア69が形成されている。
そして、前記反射板回転ギア69と、後述する連結ギア77との噛み合いによって、これも後述する反射板駆動モータ75のモータ軸の回転が伝達され、反射板駆動モータ75の駆動に伴い反射板固定部66が回転するようになっている。そして、反射板固定部材66を回転させることにより回転反射板64が電球65の周囲を旋回し、電球65の光が投射される方向を回転変位させることができるようになっている。
【００２６】
（ユニット本体70）
ユニット本体70は、円盤状の回転体であって、図４に示すように、ドーナツ型の上面部材70Aと円板型の下面板70Bと、上面部材70Aと下面板70Bの間に設けられた中仕切り板70Cとから構成されている。上面部材70Aの周囲にはユニット回転ギア71が形成されているとともに、下面板70Bの外周は、上面部材70Aよりも外側に張り出す鍔部72となっており、この鍔部72には、複数の検知溝72Aが形成されている。なおこの検知溝72Aは、ユニット本体70の回転位置を検知するためのインデックスとして機能するものである。さらに、図６に示すように、前記中仕切り板70Cと下面板70Bの間のには間隙が形成されており、この間隙には、前記回転警告灯60の回転反射板64を回転させるための連結ギア77が配置されるようになっている（図５(Ａ)参照）。
【００２７】
前記上面部材70Aには、ユニット吊り下げ部78が設けられている。ユニット吊り下げ部78は、図２及び図４に示すように、円筒状の脚部78Bとリング状の頭部78Aを有する接続部材であって、脚部78Bを上面部材70Aに固定し、頭部78Aを前扉３に設けられたユニット支持部36と係合させることにより、ユニット本体70を前扉３の裏側上部空間に、水平方向に回転可能に吊り下げ支持することができるものである。前記頭部78Aの下面には、ユニット支持部36と頭部78Aとの摩擦抵抗を無くすためベアリングが埋め込んであるので、ユニット支持部36に回転表示ユニット７の重量がかかってもスムーズにこれを回転させることができる。
【００２８】
また、前記中仕切り板70Cの中心部には、回転接続用コネクタ90が設けられている。回転接続用コネクタ90は、スリップリングやロータリーコネクタなどの、固定部から回転体に電気信号を伝達させるためのものである。
そして、前記下面板70Bの下側には、ユニット本体70の回転中心から放射状に延設された平面視十字型の仕切り反射板73が固定されている。仕切り反射板73は、側壁面が例えば鏡面などの光反射部材により形成されており、回転警告灯60から照射される光を反射することができるようになっている。そして、回転表示ユニット７の底面図を表す図５（Ｂ）に示すように、仕切り反射板73で４つに仕切られた下面板70Bの下側のスペースのうち、３つのスペースには、回転警告灯60が１つずつ配置されているとともに、残りの１つのスペースには、中継基板74及び反射板駆動モータ75が配置されている。
【００２９】
反射板駆動モータ75は、回転警告灯60の回転反射板64を回転させるための駆動装置であり、図４に示すように、中継基板74の上面に固定されている。反射板駆動モータ75の駆動軸には、駆動ギア76（図５参照）が設けられており、この駆動ギア76は、下面板70Bと中仕切り板70Cの間に位置し、回転警告灯60の反射板回転ギア69を回転させるための連結ギア77と噛み合っている。
ここで、本実施の形態においては、単一の反射板駆動モータ75により、３個の回転警告灯60の回転反射板64が同時に回転するように形成されている。具体的には、回転表示ユニット７の平面図を表す図５（Ａ）に示すように、連結ギア77として、黄色のレンズ63を備える回転警告灯60Yの反射板回転ギア69Yと噛合する連結ギア77Y、青色のレンズ63を備える回転警告灯60Bの反射板回転ギア69Bと噛合する連結ギア77B、赤色のレンズ63を備える回転警告灯60Rの反射板回転ギア69Rと噛合する連結ギア77R、連結ギア77Y及び連結ギア77Rと噛合する連結ギア77rが設けられている。
【００３０】
そして、駆動ギア76の回転により、連結ギア77Y及び連結ギア77Bが回転し、これにより反射板回転ギア69Y及び反射板回転ギア69Bが回転して、回転警告灯60Y及び回転警告灯60Bの回転反射板64が回転する。また、連結ギア77Yの回転によって連結ギア77rが回転し、連結ギア77rの回転により連結ギア77Rが回転する。これにより反射板回転ギア69Rが回転して、回転警告灯60Rの回転反射板64が回転する。
ところで、上記したギア配置により、各回転灯60の反射板回転ギア69を個々に回転させることも可能である。具体的には、特に図示しないが、下面板70Bと中仕切り板70Cの間の高さが、各ギアの高さの２倍以上となるように形成するとともに、連結ギア77をソレノイドの作動で上下に移動可能に形成する。そして、連結ギア77を上側又は下側に位置移動させることにより、他のギアとの噛合を絶ち、駆動ギア76の回転が回転させようとする回転反射板64の反射板回転ギア69にのみ伝達され、それ以外の反射板回転ギア69には伝達されないようにするものである。
【００３１】
例えば、回転警告灯60Yの回転反射板64を回転させる場合には、連結ギア77Yが駆動ギア76及び反射板回転ギア69Yの双方と噛合可能な位置にする。そして、連結ギア77Bを少なくとも駆動ギア76と噛合しない位置に移動させるとともに、連結ギア77Rを少なくとも反射板回転ギア69Rと噛合しない位置に移動させる（あるいは連結ギア77rを連結ギア77Yと噛合しない位置に移動させてもよい）。
同様に、回転警告灯60Bの回転反射板64を回転させる場合には、連結ギア77Bが駆動ギア76及び反射板回転ギア69Bの双方と噛合可能な位置にし、連結ギア77Yを少なくとも駆動ギア76と噛合しない位置に移動させればよい。また、回転警告灯60Rの回転反射板64を回転させる場合には、連結ギア77Rが連結ギア77r及び反射板回転ギア69Rの双方と噛合可能な位置にし、連結ギア77Yを駆動ギア76と噛合する位置に移動させる。この場合、連結ギア77Yが回転警告灯60Yの反射板回転ギア69Yと噛合していれば同時に反射板回転ギア69Yも回転してしまうが、例えば、特に図示しないが、連結ギア77Yと駆動ギア76と反射板回転ギア69Yの三者が同時に噛合可能であるとともに、連結ギア77Yと駆動ギア76のみが噛合することもできるように、ギアに段差を設けて高さ調節を行うことにより、反射板回転ギア69Rのみを回転させることができる。
【００３２】
このように形成した場合には、正面側に位置し回転灯表示窓34から視認可能となっている回転警告灯60の回転反射板64のみを回転させることが可能となる。あるいは、回転灯表示窓34から視認可能となっている回転警告灯60が複数ある場合、いずれか一方の回転反射板64のみを回転させることもでき、演出表示態様のバリエーションを増やすことが可能となる。
さて、上記構成を有するユニット本体70は、前扉３のユニット支持部36に吊り下げ支持された状態で、上パネル32の回転灯表示窓34を通して回転警告灯60を正面側から視認可能な位置に配置される。ここで、図１及び図２に示すように、上部表示部3Aの内部には、水平方向に掛け渡された支持板37が設けられており、この支持板37には、図４に示すように、円形の開口部37Aが形成されている。この開口部37Aは、鍔部72の外径よりも小さく、仕切り反射板73の外径よりも大きく形成されている。そして、開口部37Aの縁部に設けられた切り欠き部分には、鍔部72に形成された検知溝72Aを検知するためのインデックスセンサ50が固定されている。
【００３３】
そして、ユニット本体70は、図２に示すように、鍔部72を支持板37の上側に位置させた状態で、開口部37Aを貫通した回転警告灯60及び仕切り反射板73が支持板37の下側に垂下するようになっている。すなわち、ユニット本体70は、ユニット支持部36及び支持板37によって、上部表示部3Aの内部空間に確実に支持される。また、ユニット本体70を前扉３に取り付ける際、回転接続用コネクタ90を制御装置６と結線で接続することにより、ユニット本体70の搭載部品、具体的には、反射板駆動モータ75及び電球65が、制御装置６と電気的に接続される。
なお、鍔部72の下面又は支持板37Aの上面にベアリングやころを設けてもよい。この場合には、ユニット吊り下げ部78の代わりに、ユニット本体70の上面に設けたシャフトをユニット支持部36に支持させるようにしてもよい。
【００３４】
また、本実施の形態では、ユニット本体70の下部空間を仕切り反射板73によって４つのスペースに分けて、その内の１つのスペースに反射板駆動モータ75を配置してあったが、もちろん、４つのスペース全てに回転警告灯60を配置してもよい。この場合、反射板駆動モータ75は単一としてもよいし個々の回転警告灯60ごとに設けてもよい。
さらに、ユニット本体70の下部空間は４つのスペースに限られず、３つであってもよいし、逆に、４つ以上のスペースを設けて、各スペースに小型の回転警告灯60を配置するようにしてもよい。例えば、仕切り反射板73を、６枚（あるいは８枚）の板部材をユニット本体70の回転中心から放射状に配置して形成し、各板部材で仕切られたスペースにそれぞれ回転警告灯60を配置させてもよい。
【００３５】
ここで、回転警告灯60の数が多い場合には、すべての回転警告灯60についてカバー63の色を異ならせる必要はない。例えば６個の回転警告灯60を設ける場合、赤、黄、青のカバー63を有する回転警告灯60をそれぞれ２個ずつ配置してもよいものである。
なお、ユニット本体70に取り付ける回転警告灯60の個数及び回転灯表示窓34の大きさによっては、回転灯表示窓34から複数の回転警告灯60のカバー63を視認可能とすることができる。この場合、視認可能なカバー63の色彩が各回転警告灯60ごとに異なるように各回転警告灯60を配置してもよいし、同一の色彩のカバー63が並列するような配置にすることもできる。
【００３６】
（ユニット回転装置80）
ユニット回転装置80は、ユニット本体70を回転させるための駆動装置であり、図１及び図３に示すように、前扉３の上面板の裏側に固定された駆動モータ81と、この駆動モータ81の駆動軸に設けられた駆動ギア82を有している。そして、前記駆動ギア82が、上部表示部3Aの内部空間に支持されたユニット本体70のユニット回転ギア71と噛合可能な位置となるよう配置されている。駆動モータ81としてはＤＣモータを用い、適宜正転逆転を切り替えることができるようにしてある。なお、ユニット回転装置80を、支持板37に固定してもよい。この場合には、駆動ギア82とユニット回転ギア71との間に中継ギアを設けてもよい。
【００３７】
そして、駆動モータ81の駆動によって駆動ギア82が回転することにより、ユニット本体70が水平方向に回転する。ユニット本体70は、ユニット支持部36とユニット吊り下げ部78の係合により中心軸が固定されているとともに、支持板37によって下方から支持されているので、ユニット回転ギア71と駆動ギア82の噛合によりスムーズに回転することができる。
（回転表示ユニット７の作動）
上記構成を有する回転表示ユニット７の作動、すなわち反射板駆動モータ75及びユニット回転装置80の駆動、回転警告灯60の電球65の点滅は、制御装置６からの出力信号に基づいて、遊技状態に応じて行われる。すなわち、遊技状態に応じて予め定められた又は抽選により決定された作動パターンの指示信号に基づき、モータを駆動又は駆動停止させたり電球を点灯消灯させたりする。そして、この作動パターンによって、当選や入賞を報知することができる。
【００３８】
具体的には、まず第一に、ユニット本体70を回転させることにより、正面側に位置する回転警告灯60を変動させて、回転灯表示窓34から視認可能な回転警告灯60の色彩を変化させることができる。例えば、遊技状態に応じて、赤色の回転警告灯60Rを正面側に位置させたり、青色の回転警告灯60Bを正面側に位置させたり、黄色の回転警告灯60Yを正面側に位置させたりすることができる。あるいは、回転灯表示窓34から、赤色の回転警告灯60Rと黄色の回転警告灯60Yが半分ずつ見えるような位置や、赤色の回転警告灯60Rと青色の回転警告灯60Bが半分ずつ見えるような位置でユニット本体70を停止させたりすることもできる。
【００３９】
これらの回転作動は、インデックスセンサ50の、鍔部72に設けられた検知溝72Aの検知に基づいて、ユニット本体70の現在回転位置を把握しつつ行われる。ここで、回転位置とは、ユニット本体70の回転角度により把握される位置である。またここで、検知溝72Aは、仕切り反射板73によって仕切られたユニット本体70下部のスペースにそれぞれ対応して設けられているとともに、各スペースによって、切り欠き幅あるいは切り欠きの個数が異なるように設定されている。そして、インデックスセンサ50が検知溝72Aを検知した検知パターン（ＯＮ／ＯＦＦの時間、回数）に基づき、インデックスセンサ50の位置にあるのがどのスペースであるかを認識し、そのデータから正面側に位置しているスペース（つまりそこに配置されている回転警告灯60又は反射板駆動モータ75）を特定することができるようになっている。この特定は、特に図示しないが、制御装置６に設けられた検出制御手段により行われる。
【００４０】
ところで、反射板駆動モータ75が正面側に位置した状態でユニット本体70を停止させても、見栄えが悪いだけで表示上の効果がないので、回転表示ユニット７の回転角度は１８０度（黄色の回転警告灯60Yが正面側となる位置から青色の回転警告灯60Bが正面側となる位置までの角度。図５（Ｂ）参照）となるように形成してもよい。このように形成した場合には、回転接続用コネクタ90を用いなくても通常のコネクタで対応できる。あるいは、反射板駆動モータ75の設置スペースの表面側をカバーで覆い、反射板駆動モータ75の設置スペースが正面側に位置したときにはこのカバーが回転灯表示窓34から視認可能となるようにしてもよい。この場合には、駆動モータ81は逆転駆動可能な必要はなく、例えばステッピングモータを用いてユニット本体70を一方向にのみ回転させるようにしてもよい。
【００４１】
ちなみに、駆動モータ81としてステッピングモータを用いた場合には、インデックスセンサ50でユニット本体70の現在位置を認識するのに、ステッピングモータの回転ステップ数を利用してもよい。回転ステップ数とは、ステッピングモータを回転させるための発信パルス数のことである。そして、鍔部72にはスタートインデックスのみを設け、インデックスセンサ50がスタートインデックスを検知してからの回転ステップ数によって、正面側に位置しているスペースを検出するようにしてもよい。
さらに、上記したユニット本体70の回転作動と合わせて、個々の回転警告灯60の作動態様を変化させることもできる。例えば、通常時は電球65を消灯しておくとともに回転反射板64も回転停止させておき、遊技中の所定時に、正面側に位置している回転警告灯60の電球65を点灯させて回転反射板64を回転させる。あるいは電球65は消灯したまま回転反射板64のみを回転させることもできる。加えて、回転反射板64を逆回転させることもできる。
【００４２】
このように、本実施の形態によれば、複数の回転警告灯60を装着した回転表示ユニット７を回転移動させることにより正面側に位置する回転警告灯60を変化させ、通常の回転警告灯60を用いた演出に比べてバリエーション豊かでインパクトのある演出を行うことができる。また、単一の反射板駆動モータ75で複数の回転警告灯60の回転反射板64を回転可能に形成してあるので、装置を軽量化でき、コスト削減を図ることもできる。
（本発明の他の実施の形態）
ところで、上記した実施の形態では、回転警告灯60をユニット本体70の下面に取り付けてあったが、図８に示すように、回転警告灯60をユニット本体70の上面に取り付けてもよいものである。
【００４３】
この場合、ユニット本体70は、上部表示部3Aの内部に設けらたれ支持板37の上面に載置される。また支持板37には開口部が形成されており、一方、ユニット本体70の下面中心部には前記開口部と係合する回転ガイド部79が設けられている。さらに、ユニット本体70の下面（又は支持板37の上面）には、ベアリングやころが設けられていて、ユニット本体70と支持板37との間に生ずる摩擦抵抗を軽減している。そして、図示しないユニット回転装置80の駆動によって、ユニット本体70が回転ガイド部79に支持されつつ、回転するようになっているものである。
なお、回転表示ユニット７の他の構成は、上記した実施の形態とほぼ同様であるが、回転警告灯60の反射板固定部材66は、吊り下げ部材68に吊り下げ支持されるのではなく、例えば中仕切り板70C（図６参照）の上面に回転可能に載置されるものとなる。このように形成した場合でも、上記した実施の形態と同様の作用効果を得ることができる。
【００４４】
なお、本発明としては、各回転警告灯60ごとに反射板駆動モータ75を設けてもよい。また、上記した実施の形態では、回転表示ユニット７を回転させるために歯車機構を用いているが、駆動モータ81の駆動軸の回転を伝達する手段としては、ギアの噛合に限らず、ベルトやチェーンを用いてもよい。
本発明に係る回転表示ユニット７は、遊技機の正面側であれば、前扉３に取り付けなくてもよい。例えば遊技機の筐体に固定してもよい。さらに、本発明は、スロットマシン以外の遊技機にも応用できる。例えばパチンコ機の遊技盤の中央に、回転表示ユニット７を配置してもよい。
【００４５】
また、本発明に係る回転表示ユニット７を用いた演出表示の態様も上述したものに限られず、種々の演出用ユニットや役物を組み合わせて、様々な態様で実施可能であることはいうまでもない。例えば、回転表示ユニット７や回転警告灯60の回転反射板64の回転に伴い、スピーカ35から所定の音声を出力させるようにしてもよい。
【図面の簡単な説明】
【００４６】
【図１】本発明の実施の形態であって、スロットマシンの外観正面図である。
【図２】本発明の実施の形態であって、スロットマシンの縦断面図である。
【図３】本発明の実施の形態であって、回転表示ユニットの正面図である。
【図４】本発明の実施の形態であって、回転表示ユニットの斜視図である。
【図５】本発明の実施の形態であって、回転表示ユニットの平面図及び底面図である。
【図６】本発明の実施の形態であって、回転警告灯の縦断面図である。
【図７】本発明の実施の形態であって、回転警告灯の分解斜視図である。
【図８】本発明の他の実施の形態であって、スロットマシンの縦断面図である。
【符号の説明】
【００４７】
Ｓ  スロットマシン
１  筐体                            ２  リールユニット
３  前扉                            3A  上部表示部
3B  下パネル                        3C  下皿
４  メダルセレクター                ５  ホッパーユニット
６  制御装置                        ７  回転表示ユニット
20  回転リール                      30  正面パネル
31  図柄表示窓                      32  上パネル
33  ランプ                          34  回転灯表示窓
35  スピーカ                        36  ユニット支持部
37  支持板
40  操作部                          41  ベットスイッチ
42  メダル投入口                    43  スタートスイッチ
44  精算スイッチ                    45  ストップスイッチ
50  インデックスセンサ
60  回転警告灯                      63  レンズ
64  回転反射板                      65  電球
66  反射板固定部材                  67  ソケット
68  吊り下げ部材                    69  反射板回転ギア
70  ユニット本体                   70A  上面部材
70B  下面板                         70C  中仕切り板
71  ユニット回転ギア                72  鍔部
73  仕切り反射板                    74  中継基板
75  反射板駆動モータ                76  駆動ギア
77  連結ギア                        78  ユニット吊り下げ部
79  回転ガイド部
80  ユニット回転装置                81  駆動モータ
82  駆動ギア                        90  回転接続用コネクタ
【図１】
2009142523.tif 000003
【図２】
2009142523.tif 000004
【図３】
2009142523.tif 000005
【図４】
2009142523.tif 000006
【図５】
2009142523.tif 000007
【図６】
2009142523.tif 000008
【図８】
2009142523.tif 000009
【図７】
2009142523.tif 000010